(57)【要約】【課題】導光板への照射光量を維持しつつ照明装置の薄型化を図る。【解決手段】光源基板２７は、導光板２１の側端面２１１と対向する側端面２７ａを有する。発光部２８は、光源基板２７に固定されて導光板２１の側端面２１１に光を照射する。この発光部２８は、光源基板２７のうち少なくとも一の基板面を含む平面と交差するように当該光源基板２７に配設されている。【選択図】　　　図１
2004087261.tif 000002
【特許請求の範囲】
【請求項１】
側端面に入射した光を一方の面側に導く導光板と、
前記導光板の前記側端面と対向する側端面を有する光源基板と、
前記光源基板のうち少なくとも一の基板面を含む平面と交差するように当該光源基板に配置されて前記導光板の前記側端面に光を照射する発光部と
を具備することを特徴とする照明装置。
【請求項２】
前記発光部は、前記光源基板の一の基板面を含む平面、および当該一の基板面と略平行に背後する他の基板面を含む平面の双方と交差するように前記光源基板に配置されている
ことを特徴とする請求項１に記載の照明装置。
【請求項３】
前記光源基板のうち前記導光板の側端面に対向する側端面には切欠部が設けられており、
前記発光部は、その少なくとも一部が前記切欠部に入り込むように前記光源基板に配置されている
ことを特徴とする請求項１または２に記載の照明装置。
【請求項４】
前記発光部は、当該発光部のうち前記導光板の前記側端面に最も近い部分が前記光源基板の前記側端面における切欠部以外の部分よりも前記導光板側に位置するように、前記光源基板に配置されている
ことを特徴とする請求項３に記載の照明装置。
【請求項５】
前記発光部は、
発光面から光を出射する発光体と、
前記発光体に接続された一対の端子であって、当該発光体のうち前記光源基板の基板面に略垂直な方向における縁部以外の部分に位置するとともに前記光源基板に固定された一対の端子と
を具備することを特徴とする請求項１から４のいずれかに記載の照明装置。
【請求項６】
前記発光体は、相互に背後して略平行をなす一対の面を有し、
前記一対の端子は、それぞれ前記一対の面から突出するように設けられている
ことを特徴とする請求項５に記載の照明装置。
【請求項７】
側端面に入射した光を一方の面側に導く導光板と、
前記導光板の前記側端面と対向する側端面を有する光源基板と、
前記導光板の前記側端面に対して光を出射する発光体、および当該発光体に接続された一対の端子であって当該発光体のうち前記光源基板の基板面に略垂直な方向における縁部以外の部分に設けられて前記光源基板に固定された一対の端子を有する発光部と
を具備することを特徴とする照明装置。
【請求項８】
相互に対向する一対の基板の間に電気光学物質を有する電気光学パネルと、前記電気光学パネルに光を照射する照明装置とを具備する電気光学装置であって、
前記照明装置は、
前記電気光学パネルの一方の基板面と対向するように配置され、側端面に入射した光を当該電気光学パネル側に導く導光板と、
前記導光板の前記側端面と対向する側端面を有する光源基板と、
前記光源基板のうち少なくとも一の基板面を含む平面と交差するように当該光源基板に配置されて前記導光板の前記側端面に光を照射する発光部と
を有することを特徴とする電気光学装置。
【請求項９】
相互に対向する一対の基板の間に電気光学物質を有する電気光学パネルと、前記電気光学パネルに光を照射する照明装置とを具備する電気光学装置であって、
前記照明装置は、
前記電気光学パネルの一方の基板面と対向するように配置され、側端面に入射した光を当該電気光学パネル側に導く導光板と、
前記導光板の前記側端面と対向する側端面を有する光源基板と、
前記導光板の前記側端面に対して光を出射する発光体、および当該発光体に接続された一対の端子であって当該発光体のうち前記光源基板の基板面に略垂直な方向における縁部以外の部分に設けられて前記光源基板に固定された一対の端子を有する発光部と
を有することを特徴とする電気光学装置。
【請求項１０】
請求項８または９に記載の電気光学装置を備えることを特徴とする電子機器。
【発明の詳細な説明】
【０００１】
【発明の属する技術分野】
本発明は、発光素子による照射光を導光板を介して出射させる照明装置に関し、特に、電気光学パネルの背面側に配置される照明装置に関する。さらに本発明は、この照明装置を備えた電気光学装置および電子機器に関する。
【０００２】
【従来の技術】
液晶や有機ＥＬ（Ｅｌｅｃｔｒｏ　Ｌｕｍｉｎｅｓｃｅｎｔ）などの電気光学物質を利用した電気光学パネルは、携帯電話機やパーソナルコンピュータといった各種の電子機器の表示装置として広く利用されている。この種の電子機器のうち、例えば液晶表示パネルを用いた機器においては、太陽光や室内照明光などの外光が十分に存在しない環境においても表示画像の視認性を維持すべく、液晶表示パネルの背面側に照明装置（バックライト）が配置されるのが一般的である。
【０００３】
図１３は、従来の液晶表示装置の構成を模式的に表す断面図である。この液晶表示装置は、相互に対向する基板７１および７２の間に液晶が封止された液晶表示パネル７０と、この液晶表示パネル７０の背面側に配置された照明装置８０とを備えている。照明装置８０は、液晶表示パネル７０に対して光を照射するためのものであり、液晶表示パネル７０の基板７２に対向するように配置された導光板８１と光源ユニット８６とを有する。この光源ユニット８６は、導光板８１の側端面８１１近傍に配置された光源基板８７の面上に、例えば白色ＬＥＤ（Ｌｉｇｈｔ　Ｅｍｉｔｔｉｎｇ　Ｄｉｏｄｅ）などの発光素子８８が設けられた構成となっている。この構成のもと、発光素子８８から出射して導光板８１の側端面８１１に入射した光は、導光板８１の内部を通過して液晶表示パネル７０側に導かれる。
【０００４】
【発明が解決しようとする課題】
ところで、近年においては、液晶表示装置あるいはこれを搭載した電子機器の薄型化に対する要求が極めて厳しく、この要求に応えるためには照明装置についても薄型化が望まれるところである。しかしながら、図１３に示した構成の照明装置８０は薄型化が困難であるという問題があった。詳述すると以下の通りである。
【０００５】
ここで、照明装置８０を薄型化するための方策としては光源ユニット８６を薄くすることが考えられる。図１３に示すように、光源ユニット８６の厚さは光源基板８７の厚さＴと発光素子８８の高さＨとを合計したものであるから、光源ユニット８６の薄型化を図るためには光源基板８７の厚さＴや発光素子８８の高さＨを小さくする必要がある。しかしながら、光源基板８７の厚さＴを薄くした場合には強度が低下するため、その製造時や使用時において破損しやすくなるという問題が生じる。一方、発光素子８８の高さを小さくした場合には導光板８１への照射光量が少なくなるため、表示画像が暗くなってしまうという問題が生じる。このように、図１３に示した構成のもとで光源ユニット８６の厚さを抑えるのには限界があるのが現状であった。
【０００６】
本発明は以上説明した事情に鑑みてなされたものであり、導光板への照射光量を維持しつつ薄型化を図ることができる照明装置、ならびにこの照明装置を備えた電気光学装置および電子機器を提供することを目的としている。
【０００７】
【課題を解決するための手段】
上記課題を解決するため、本発明に係る照明装置は、側端面に入射した光を一方の面側に導く導光板と、前記導光板の前記側端面と対向する側端面を有する光源基板と、前記光源基板のうち少なくとも一の基板面を含む平面と交差するように当該光源基板に配置されて前記導光板の前記側端面に光を照射する発光部とを具備することを特徴としている。
【０００８】
この構成によれば、発光部が光源基板のうち少なくとも一の基板面を含む平面と交差するように配置されるため、光源基板の上面に発光部が設けられた構成と比較して、光源基板と発光部とからなる組（光源ユニット）の厚さを薄くすることができる。換言すると、発光部の厚さを低減することなく照明装置の厚さを薄くすることができるから、発光部から導光板への入射光量の損失を抑制することができる。
【０００９】
この発明においては、前記発光部が、前記光源基板の一の基板面を含む平面、および当該一の基板面と略平行に背後する他の基板面を含む平面の双方と交差するように前記光源基板に配置されている構成が望ましい。こうすれば、発光部が光源基板の一の基板面を含む平面のみと交差する構成と比較して、より照明装置の薄型化を図ることができる。
【００１０】
また、前記光源基板のうち前記導光板の側端面に対向する側端面に切欠部を設ける一方、前記発光部を、その少なくとも一部が前記切欠部に入り込むように前記光源基板に配置する構成も望ましい。こうすれば、光源基板からの発光部の突出を小さくすることができるから、切欠部を設けない場合と比較して、発光部が配設された光源基板の幅を狭くすることができる。
【００１１】
また、光源基板に切欠部を設ける構成のもとでは、前記発光部が、当該発光部のうち前記導光板の前記側端面に最も近い部分が前記光源基板の前記側端面における切欠部以外の部分よりも前記導光板側に位置するように、前記光源基板に配置された構成が望ましい。こうすれば、発光部を導光板に近接させることができるから、発光部から導光板への入射光量の損失をより確実に抑えることができる。
【００１２】
また、本発明における発光部としては、発光面から光を出射する発光体と、前記発光体に接続された一対の端子であって、当該発光体のうち前記光源基板の基板面に略垂直な方向における縁部以外の部分に位置するとともに前記光源基板に固定された一対の端子とからなるものが考えられる。この構成のもとでは、前記発光体が相互に背後して略平行をなす一対の面を有し、前記一対の端子は、それぞれ前記一対の面から突出するように設けられている構成が望ましい。
【００１３】
さらに、上記課題を解決するために、本発明に係る照明装置は、側端面に入射した光を一方の面側に導く導光板と、前記導光板の前記側端面と対向する側端面を有する光源基板と、前記導光板の前記側端面に対して光を出射する発光体、および当該発光体に接続された一対の端子であって当該発光体のうち前記光源基板の基板面に略垂直な方向における縁部以外の部分に設けられて前記光源基板に固定された一対の端子を有する発光部とを具備することを特徴としている。
【００１４】
この構成によれば、光源基板に固定された一対の端子が、発光体のうち光源基板の基板面に略垂直な方向における縁部以外の部分に設けられているから、発光体が光源基板のうち少なくとも一の基板面を含む平面と交差することとなる。したがってこの照明装置によれば、上述したのと同様の理由により、導光板への出射光量を維持しつつ薄型化を図ることができる。
【００１５】
また、本発明は、本発明に係る照明装置を備えた電気光学装置を提供する。本発明に係る照明装置によれば導光板への出射光量を維持しつつ薄型化を図ることができるから、この照明装置を備えた電気光学装置においては、表示画像の明るさを維持しつつ当該電気光学装置の薄型化を図ることができる。
【００１６】
さらに、本発明は、上記電気光学装置を表示装置として備えた電子機器を提供する。本発明に係る電気光学装置によれば表示画像の明るさを維持しつつ薄型化を図ることができる。したがって、本発明は、高品位の表示および小型化が要求される電子機器の表示装置として特に好適である。このような電子機器としては、携帯電話機やパーソナルコンピュータといった種々の電子機器が考えられる。
【００１７】
【発明の実施の形態】
以下、図面を参照して、本発明の実施形態について説明する。かかる実施の形態は、本発明の一態様を示すものであり、この発明を限定するものではなく、本発明の範囲内で任意に変更可能である。　なお、以下に示す各図においては、各層や各部材を図面上で認識可能な程度の大きさとするため、各層や各部材ごとに縮尺を異ならせてある。
【００１８】
＜Ａ：実施形態の構成＞
まず、本発明に係る照明装置を電気光学装置に適用した形態について説明する。本実施形態においては、電気光学物質として液晶を用いた液晶表示装置を電気光学装置として例示する。図１はこの液晶表示装置の構成を示す分解斜視図であり、図２はその断面図である。なお、図１においては、図面が煩雑になるのを防ぐために図２に示すフレキシブル基板４０の図示が省略されている。
【００１９】
これらの図に示すように、この液晶表示装置１００は液晶表示パネル１０と照明装置（バックライト）２０とプリント基板３０とを有する。このうち照明装置２０は液晶表示パネル１０の背面側、すなわち液晶表示パネル１０による表示画像を視認する観察者からみて奥側に設けられている。一方、プリント基板３０は照明装置２０からみて液晶表示パネル１０とは反対側に設けられている。
【００２０】
液晶表示パネル１０は、相互に対向する基板１１と基板１２とが枠状のシール材（図示略）を介して貼り合わされるとともに、両基板とシール材とによって囲まれた領域に液晶が封止されたものである。本実施形態に係る液晶表示パネル１０は、背面側から入射した照明装置２０からの光を観察側に出射させて表示を行なう、いわゆる透過型の液晶表示パネルである。なお、実際の液晶表示パネル１０においては、基板１１および基板１２の外側表面に偏光板や位相差板が貼り付けられるとともに、内側表面には液晶に電圧を印加するための透明電極や配向膜などが設けられているが、図１および図２においてはこれらの構成要素の図示は省略されている。
【００２１】
一方、プリント基板３０は、導電性材料からなる配線パターンが形成された板状部材であり、その面上には、液晶表示パネル１０による表示動作を制御するための各種の回路を搭載したＩＣチップなどが実装されている。一方、図２に示すフレキシブル基板４０は、一端の近傍が液晶表示パネル１０の基板１２に接合され、液晶表示パネル１０の背面側に至るように折り曲げられるとともに、他端の近傍がプリント基板３０に接合されている。プリント基板３０上に設けられた出力端子と液晶表示パネル１０の基板上に設けられた入力端子とは、フレキシブル基板４０に設けられた配線によって相互に導通が図られている。
【００２２】
照明装置２０は液晶表示パネル１０に対して光を照射する装置である。この照明装置２０は、光源ユニット２６と導光板２１とを有する。この光源ユニット２６と導光板２１とは、図示しないプラスチックケースに収容された状態で双方の相対的な位置が維持されるようになっている。
【００２３】
導光板２１は、液晶表示パネル１０の背面側に位置する基板１２と対向するように配置された板状部材であり、側端面２１１に入射した光源ユニット２６からの光を液晶表示パネル１０側に導くためのものである。この導光板２１のうち液晶表示パネル１０と対向する面には拡散板２２が貼り付けられている。この拡散板２２は、導光板２１から出射して液晶表示パネル１０に向かう光を適度に散乱させて輝度ムラを防止するための板状部材であり、例えばビーズが分散されたプラスチックフィルムである。また、導光板２１のうち液晶表示パネル１０とは反対側の面には反射板２３が貼り付けられている。この反射板２３は、光反射性を有する薄膜であり、導光板２１から液晶表示パネル１０とは反対側に出射した光を液晶表示パネル１０側に反射させる。
【００２４】
一方、光源ユニット２６は、導光板２１の側端面２１１に対して光を照射するためのものであり、光源基板２７と複数の発光部２８とを有する。このうち光源基板２７は、発光部２８を支持するための長尺状の板状部材であり、例えばプラスチックなどによって形成される。この光源基板２７は、長手方向が導光板２１の側端面２１１に沿うように（図１参照）、かつ一方の長辺に沿った側端面が導光板２１の側端面２１１と対向するように配置される（図２参照）。
【００２５】
ここで、図３は、ひとつの発光部２８近傍の構成を拡大して示す分解斜視図である。図１から図３に示すように、光源基板２７のうち導光板２１と対向する側端面２７ａには、発光部２８に対応する数の切欠部２７１が設けられている。この切欠部２７１は、導光板２１と対向する側端面２７ａの他の部分からみて凹状（本実施形態においては長方形状）に切り欠かれた部分である。図３に示すように、本実施形態における切欠部２７１は、後述するハウジング２８１がほぼ隙間なく入り込むような寸法となっている。
【００２６】
一方、発光部２８は、発光素子２８２とハウジング２８１と一対の端子２８３ａおよび２８３ｂとを有する。特許請求の範囲における「発光体」は、本実施形態における発光素子２８２とハウジング２８１との組に相当する。このうち発光素子２８２は発光面２８２ａから光を出射する素子である。本実施形態においては白色ＬＥＤ（Ｌｉｇｈｔ　Ｅｍｉｔｔｉｎｇ　Ｄｉｏｄｅ）を発光素子２８２として用いた場合を想定する。一方、ハウジング２８１は発光素子２８２を収容するケースである。本実施形態におけるハウジング２８１は、白色のプラスチックによって形成された略立方体状の部材である。ハウジング２８１は、導光板２１に対向する面に開口部２８１ａを有する。この開口部２８１ａは、当該ハウジング２８１に収容された発光素子２８２の発光面２８２ａを外部に露出させるために開口した部分である。
【００２７】
端子２８３ａおよび２８３ｂは、発光素子２８２に対して電力を供給するための端子であり、発光素子２８２に対して電気的に接続されている。ここで、図４は、発光部２８が光源基板２７に接合された様子を光源基板２７の長手方向からみたときの構成を示す図であり、図５は、発光部２８が光源基板２７に接合された様子を発光素子２８２の発光面２８２ａ側からみたときの構成を示す図である。以下、図３から図５を参照して、端子２８３ａおよび２８３ｂの配設位置および光源基板２７への接合の態様について説明する。
【００２８】
これらの図に示すように、端子２８３ａおよび２８３ｂは、ハウジング２８１における開口部２８１ａが設けられた面と隣り合う一対の面２８１ｂおよび２８１ｃのうち、当該ハウジング２８１の高さ方向（すなわち光源基板２７の基板面と略垂直な方向）における中央部近傍にそれぞれ配置されている。すなわち、端子２８３ａおよび２８３ｂは、図３に示すようにハウジング２８１の下面２８１ｄから一定の距離Ｄだけ離れた位置に設けられている。一方、光源基板２７表面のうち端子２８３ａおよび２８３ｂと対向する部分には接続パッド２７３ａおよび２７３ｂがそれぞれ設けられている。この接続パッド２７３ａおよび２７３ｂは、導電性材料によって形成された略方形状の薄膜である。
【００２９】
この構成のもと、発光素子２８２の発光面２８２ａを導光板２１の側端面２１１に対向させた状態でハウジング２８１が光源基板２７の切欠部２７１内に配置されたうえで、端子２８３ａおよび２８３ｂと接続パッド２７３ａおよび２７３ｂとがそれぞれ半田付けされる。これにより、発光素子２８２と接続パッド２７３ａおよび２７３ｂとが端子２８３ａおよび２８３ｂを介して電気的に接続されるとともに、この発光素子２８２が収容されたハウジング２８１が光源基板２７に固定されることとなる。上述したように、端子２８３ａおよび２８３ｂはハウジング２８１の高さ方向における中央部近傍に設けられているから、ハウジング２８１は、光源基板２７の両表面を含む平面（図４および図５に示す平面Ｐａおよび平面Ｐｂ）と交差する。換言すると、ハウジング２８１は、光源基板２７に対して平面Ｐａから突出する部分を有するだけでなく、平面Ｐｂから突出する部分をも有するのである。
【００３０】
一方、図４および図５に示すように、光源基板２７に形成された接続パッド２７３ａおよび２７３ｂは、当該光源基板２７に設けられたスルーホール２７４を介して、反対側の面に形成された接続端子２７５、２７５と導通している。一方、プリント基板３０のうち接続端子２７５、２７５と対向する部分にはコンプレッションコネクタ３１が設けられている。このコンプレッションコネクタ３１は、プリント基板３０の表面から光源基板２７に向かって突出する形状の導電性部材である。そして、プリント基板３０と光源基板２７とが所期の位置に配置された段階においては、コンプレッションコネクタ３１が接続端子２７５を押圧した状態で接触することとなる。この構成により、発光部２８の発光素子２８２は、端子２８３ａおよび２８３ｂ、接続パッド２７３ａおよび２７３ｂ、スルーホール２７４、接続端子２７５ならびにコンプレッションコネクタ３１を介して、プリント基板３０上の配線パターン３２と電気的に接続されることとなる。
【００３１】
以上説明したように、本実施形態においては発光素子２８２を収容するハウジング２８１が光源基板２７の各面を含む平面と交差するように配置されるから、図１３に示した従来の光源ユニット２６と比較して薄型化を図ることができる。以下、図６を参照してこの効果を説明する。
【００３２】
図６（ｂ）に示す従来の構成においては光源基板８７の面上に発光素子８８が配置されているため、光源ユニット８６の高さは発光素子８８の高さと光源基板８７の厚さとを合計したものとなる。これに対し、本実施形態においては、図６（ａ）に示すように光源基板２７がハウジング２８１の高さ方向における中間部分に位置するようになっているため、光源ユニット２６の高さはハウジング２８１の高さに相当することとなる。したがって、本実施形態によれば、図６（ｂ）に示した従来の構成と比較して光源基板２７の厚さぶんだけ光源ユニット２６を薄くすることができるのである。
【００３３】
一方、従来の光源ユニット８６を本実施形態に係る光源ユニット２６と同一の厚さとするために、図７（ｂ）に示すように発光素子８８の高さを図６（ｂ）に示した発光素子８８よりも小さくすることも考えられる。しかしながらこの場合には、発光素子８８の小型化に伴なってその発光面が小さくなり、導光板への照射光量（ひいては表示に供される光量）が少なくなるという問題が生じ得る。これに対し、本実施形態によれば、光源基板２７の厚さにかかわらず発光素子２８２の発光面２８２ａを広く確保することができる。すなわち、本実施形態によれば、導光板２１への照射光量を維持しつつ光源ユニット２６の薄型化を図ることができるのである。
【００３４】
また、製造技術の関係から、厚い光源基板２７を製造する場合よりも薄い光源基板２７を製造する場合の方が製造コストが高いのが一般的である。ここで、本実施形態によれば、光源ユニット２６の厚さは光源基板２７の厚さと無関係に決定されるから、たとえ比較的厚い光源基板２７を採用したとしても導光板２１への十分な照射光量を維持しつつ光源ユニット２６の薄型化を図ることができる。したがって、本実施形態によれば、光源基板２７の製造コストを低減することも可能である。
【００３５】
＜Ｂ：変形例＞
以上この発明の一実施形態について説明したが、上記実施形態はあくまでも例示であり、上記実施形態に対しては、本発明の趣旨から逸脱しない範囲で様々な変形を加えることができる。変形例としては、例えば以下のようなものが考えられる。
【００３６】
＜Ｂ−１：変形例１＞
上記実施形態においては、ハウジング２８１の高さ方向における中央部近傍に端子２８３ａおよび２８３ｂを設けた構成を例示したが、必ずしも中央部近傍に設ける必要はない。すなわち、図８および図９に示すように、ハウジング２８１の側面２８１ｂおよび２８１ｃのうち高さ方向における中央部よりも下面２８１ｄに近い部分に端子２８３ａおよび２８３ｂを設けた構成としてもよい。この場合にも、図１３に示した従来の構成と比較して、ハウジング２８１の下面２８１ｄから光源基板２７の上面までの距離のぶんだけ光源ユニット２６を薄くすることができるという効果が得られる。
【００３７】
このように、本発明においては、発光素子２８２を収容したハウジング２８１のうち、光源基板２７の基板面に略垂直な方向における縁部以外の部分に端子が設けられていればよい。換言すれば、発光素子２８２を収容したハウジング２８１が、光源基板２７のうち少なくとも一の基板面を含む平面（図８に示す平面Ｐａ）と交差するように光源基板２７に配置されていればよく、ハウジング２８１が光源基板２７の双方の面を含む平面と交差する必要は必ずしもない。
【００３８】
＜Ｂ−２：変形例２＞
上記実施形態においては、発光素子２８２をハウジング２８１に収容したうえで光源基板２７に固定する構成を例示したが、このハウジング２８１は必ずしも必要なものではない。すなわち、発光素子２８２が備える端子を直接に光源基板２７に固定する構成としてもよい。このように、本実施形態における「発光体」は、上記実施形態に示したように発光素子２８２とこれを収容したハウジング２８１とからなる組だけでなく、発光素子２８２単体も含む概念である。もっとも、上記実施形態に示したように発光素子２８２をハウジング２８１に収容した場合には、発光素子２８２から導光板２１以外の方向に向かう光を、ハウジング２８１の表面において導光板２１側に反射させることができるという利点がある。
【００３９】
＜Ｂ−３：変形例３＞
上記実施形態においては、発光体を光源基板２７の切欠部２７１に嵌め込む構成を例示したが、この切欠部２７１は必ずしも必要なものではない。すなわち、図１０に示すように、切欠部２７１を持たない板状部材を光源基板２７’として利用し、この光源基板２７’の側端面に沿って発光部２８’を配列させた構成としてもよい。この構成を採用した場合にも、導光板への照射光量を維持しつつ光源ユニットの薄型化を図ることができるという上記実施形態と同様の効果が得られる。もっとも、上記実施形態に示したように光源基板２７に切欠部２７１を設けた場合には、図１０に示した構成と比較して光源ユニット２６の幅を狭くすることができるという利点がある。さらに、上記実施形態においては、発光部２８（ハウジング２８１）が光源基板２７の切欠部２７１にほぼ隙間なく嵌め込まれる構成としたが、両者の間に隙間があってもよいことはもちろんである。
【００４０】
ところで、発光素子２８２から出射して導光板２１に出射する光量の損失を抑えるためには、発光素子２８２の発光面２８２ａをできるだけ導光板２１の側端面２１１に近づけることが望ましい。この観点からすると、図４に示したように、発光部２８のうち導光板２１の側端面２１１に最も近い部分が光源基板２７の側端面２７ａにおける切欠部２７１以外の部分よりも導光板２１側に位置する構成が望ましいといえる。しかしながら、本発明においては、発光部２８と光源基板２７との導光板２１に対する位置関係はこれに限られるものではない。すなわち、光源基板２７の側端面２７ａのうち導光板２１の側端面２１１に最も近い部分が、発光部２８のうち導光板２１の側端面２１１に最も近い部分よりも導光板２１側に位置する構成としてもよい。
【００４１】
＜Ｂ−４：変形例４＞
上記実施形態においては、発光素子２８２に接続された端子２８３ａおよび２８３ｂが、光源ユニット２６を光源基板２７に固定するための役割を兼ねるものとしたが、光源ユニット２６を固定するための部材（以下「固定部材」という）を端子２８３ａおよび２８３ｂとは別個に設けてもよい。この構成においては、発光体（発光素子２８２が収容されたハウジング２８１）のうち光源基板２７の基板面に略垂直な方向における縁部以外の部分に固定部材が設けられた構成とすればよい。
【００４２】
＜Ｂ−５：変形例５＞
上記実施形態においては、光源基板２７としてリジッドタイプの基板を用いたが、これに代えてフレキシブル基板４０を用いてもよい。もっとも、リジッドタイプの基板を光源基板２７として用いた場合には上記実施形態に示したようにコンプレッションコネクタ３１を利用することができ、接続端子とプリント基板３０上の配線パターンとを接続するためにはんだ付けなどの煩雑な作業が不要であるという利点がある。さらに、上記実施形態においては、光源基板２７と配線パターンとがコンプレッションコネクタ３１を介して接続されるものとしたが、両者の接続の態様はこれに限られない。
【００４３】
＜Ｂ−６：変形例６＞
上記実施形態においては本発明に係る照明装置を液晶表示装置に適用した場合を例示したが、この照明装置の適用範囲はこれに限られるものではない。液晶表示装置以外の表示装置や、外部からの光の照射を必要とするその他の装置にも本発明に係る照明装置を適用可能である。また、上記実施形態においては透過型の液晶表示パネルを用いたが、透過型表示のみならず反射型表示も可能な、いわゆる半透過反射型の液晶表示パネルを採用してもよい。
【００４４】
また、上記実施形態および各変形例においては、本発明を液晶表示装置に適用した場合を例示したが、その他の電気光学装置にも本発明を適用することができる。すなわち、有機ＥＬ（Ｅｌｅｃｔｒｏ　Ｌｕｍｉｎｅｓｃｅｎｔ）装置や無機ＥＬ装置などのＥＬ装置、プラズマディスプレイ装置、ＦＥＤ（Ｆｉｅｌｄ　Ｅｍｉｓｓｉｏｎ　Ｄｉｓｐｌａｙ）装置、ＬＥＤ（Ｌｉｇｈｔ　Ｅｍｉｔｔｉｎｇ　Ｄｉｏｄｅ）表示装置、電気泳動表示装置、薄型のブラウン管を用いた表示装置、液晶シャッターなどを用いた小型テレビ、デジタルマイクロミラーデバイス（ＤＭＤ）を用いた装置など、電気光学作用によって表示を行なうすべての電気光学装置に本発明を適用できる。
【００４５】
＜Ｃ：電子機器＞
次に、本発明に係る電気光学装置を用いた電子機器について説明する。
【００４６】
＜Ｃ−１：モバイル型コンピュータ＞
まず、本発明に係る電気光学装置を、可搬型のパーソナルコンピュータ（いわゆるノート型パソコン）の表示部に適用した例について説明する。図１１は、このパーソナルコンピュータの構成を示す斜視図である。同図に示すように、パーソナルコンピュータ９１は、キーボード９１１を備えた本体部９１２と、本発明に係る電気光学装置を適用した表示部９１３とを備えている。
【００４７】
＜Ｃ−２：携帯電話機＞
続いて、本発明に係る電気光学装置を、携帯電話機の表示部に適用した例について説明する。図１２は、この携帯電話機の構成を示す斜視図である。同図に示すように、携帯電話機９２は、複数の操作ボタン９２１のほか、受話口９２２、送話口９２３とともに、本発明に係る電気光学装置を適用した表示部９２４を備える。
【００４８】
なお、本発明に係る電気光学装置を適用可能な電子機器としては、図１１に示したパーソナルコンピュータや図１２に示した携帯電話機のほかにも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００４９】
【発明の効果】
以上説明したように、本発明によれば、導光板への照射光量を維持しつつ照明装置の薄型化を図ることができる。
【図面の簡単な説明】
【図１】本発明の実施形態に係る液晶表示装置の構成を示す分解斜視図である。
【図２】同液晶表示装置の構成を示す断面図である。
【図３】同液晶表示装置における発光素子近傍の構成を拡大して示す分解斜視図である。
【図４】同発光部の近傍を光源基板の長手方向からみたときの構成を拡大して示す図である。
【図５】同発光部の近傍を発光面側からみたときの構成を拡大して示す図である。
【図６】同実施形態の効果を説明するための図である。
【図７】同実施形態の効果を説明するための図である。
【図８】本発明の変形例に係る照明装置における発光部の近傍を光源基板の長手方向からみたときの構成を拡大して示す図である。
【図９】同変形例に係る照明装置における発光部の近傍を発光面側からみたときの構成を拡大して示す図である。
【図１０】本発明の変形例に係る光源ユニットの構成を示す斜視図である。
【図１１】本発明に係る電気光学装置を適用した電子機器の一例たるパーソナルコンピュータの構成を示す斜視図である。
【図１２】本発明に係る電気光学装置を適用した電子機器の一例たる携帯電話機の構成を示す斜視図である。
【図１３】従来の液晶表示装置の構成を示す断面図である。
【符号の説明】
１００……液晶表示装置（電気光学装置）、１０……液晶表示パネル（電気光学パネル）、１１，１２……基板、２０……照明装置、２１……導光板、２１１……側端面、２６……光源ユニット、２７……光源基板、２７１……切欠部２７１、２７３ａ，２７３ｂ……接続パッド、２８……発光部（発光体）、２８１……ハウジング（発光体）、２８１ａ……開口部、２８２……発光素子、２８３ａ、２８３ｂ……端子、３０……プリント基板。
【図１】
2004087261.tif 000003
【図２】
2004087261.tif 000004
【図３】
2004087261.tif 000005
【図４】
2004087261.tif 000006
【図５】
2004087261.tif 000007
【図６】
2004087261.tif 000008
【図７】
2004087261.tif 000009
【図８】
2004087261.tif 000010
【図９】
2004087261.tif 000011
【図１０】
2004087261.tif 000012
【図１１】
2004087261.tif 000013
【図１２】
2004087261.tif 000014
【図１３】
2004087261.tif 000015